(57)【要約】【課題】  限界性、陳腐化性、非創造性や非利便性を軽減もしくは解決し、進化・発展性があり、創造的な利用も可能で、利便性に優れる新しい知的ツールを提供する。【解決手段】  知的ルールは、内部コンテンツが固定した閉鎖的なものにならないようにするために、研究機関・研究室・研究者・企業・省庁等のホームページに代表される外部情報源へのリンクを可能とする。単にホームページにリンクするだけではなく、必要とする関連情報に直接アクセスを可能とする、外部情報源の内部へ直接乗り入れることを可能とするプラグインシステムを手段として付与する。【選択図】なし【特許請求の範囲】
【請求項１】
物質、材料、工業製品、科学、技術、並びにこれらを取り扱う組織体の活動とその経済・社会・環境的効果等に係わる情報、概念、原理、応用及び影響・効果等に関する知見を扱う知的ツールであって、当該ツールに直接包含されている内部コンテンツから情報ネットワークを介して外部情報源の関連知見に直結するシステム、上記内部コンテンツ及び外部情報源から一定の論理回路によって収斂的、発散的若しくはその組み合わせ的な知見を得ることができ、情報ネットワークを介してのアクセスによって上記の内部コンテンツ、論理回路及びシステム等の更新が行われることを特徴とする自己組織的な知的ツールならびにその管理方法。
【請求項２】
物質、材料、工業製品、科学、技術、並びにこれらを取り扱う組織体の活動とその経済・社会・環境的効果等に係わる情報、概念、原理、応用及び影響・効果等に関する特定の知見をそれを構成する一定の概念にしたがって、関連する周辺の知見を集束・整理し提供するシステム（以下自己集束システムと称する）、当該特定概念を拡張し、或いは異分野・異次元等に投影し得られる知見を提供するシステム（以下発散システムと称する）およびこれら２つのシステムを一定の論理回路によって処理することを自己組織的特徴とする請求項１の知的ツールならびにその管理方法。
【請求項３】
物質、材料、工業製品、科学、技術、並びにこれらを取り扱う組織体の活動とその経済・社会・環境的効果等に係わる特定の事象もしくは原理を表示する言語、記号および式等を基にして、それらが含まれる物質群、材料群、反応群、操作群、状態群、構造群および原理群等のいずれか特定の群の中で発散的に知見を集積し、然る後にそれらの発散した知見を、特定の特性、可能性、リスク・安全性およびコスト等の評価指標のいずれかひとつ以上の篩にかけて収斂させ、次いでまた上記の別の群の中で発散的に知見を集積し、然る後にそれらの発散した知見を上記の評価指標のいずれかひとつ以上の篩にかけて収斂させ、順次同様の発散と収斂とを繰り返すことにより、最終的に求める知見に到達することを特徴とする請求項１および２にある自己組織的な知的ツール。
【請求項４】
物質、材料、工業製品、科学、技術、並びにこれらを取り扱う組織体の活動とその経済・社会・環境的効果等に係わる特定の事象、特性及び原理等を表示する言語、記号および式等を基にして、それらが含まれる物質群、材料群、反応群、操作群、状態群、構造群、原理群、特性、可能性、リスク・安全性およびコスト等のいずれか特定の群の中で発散的に知見を集積し、それらの知見をそれぞれ二次元に分布・展開せしめた複数の知見平面を形成せしめ、然る後にそれらの知見平面を一定の条件下に交差せしめ、交線、交点あるいは交差領域として求める知見に到達することを特徴とする請求項１、２および３にある自己組織的な知的ツール。
【請求項５】
物質、材料、工業製品、科学、技術、並びにこれらを取り扱う組織体の活動とその経済・社会・環境的効果等に係わる特定の事象、特性及び原理等を表示する言語、記号および式等を基にして、それらが含まれる物質群、材料群、反応群、操作群、状態群、構造群、原理群、特性、可能性、リスク・安全性およびコスト等のいずれか特定の群の中で発散的に知見を集積し、その中の特定の知見もしくは知見の領域から別の群に一定の概念にしたがって投影、転写および反転等を行い特定の知見もしくは知見の領域に移動し、これを繰り返し行うことによって求める知見に到達することを特徴とする請求項１、２、３および４にある自己組織的な知的ツール。
【請求項６】
物質、材料、工業製品、科学、技術、並びにこれらを取り扱う組織体の活動とその経済・社会・環境的効果等に係わる特定の事象もしくは原理を表示する言語、記号および式等を基にして、それらが含まれる物質群、材料群、反応群、操作群、状態群、構造群および原理群等のいずれか特定の群の中に当該事象もしくは原理を位置づけた後、その事象もしくは原理を成立せしめている前提、条件もしくは制約を解除せしめて、当該事象もしくは原理を拡張し、然る後に得られる事象もしくは原理を特性、可能性、リスク・安全性およびコスト等の評価指標の篩にかけ、ついで篩にかけられた事象もしくは原理についで同様の操作を繰り返し、求める知見に到達することを特徴とする請求項１、２、３、４および５にある自己組織的な知的ツール。
【発明の詳細な説明】
【技術分野】
【０００１】
科学技術、産業、経済、社会、教育、安全及び環境等の諸分野に亘る情報・概念、原理等に関する知見を取り扱う知的ツール。
【背景技術】
【０００２】
従来、科学技術、産業、経済、社会、教育、安全及び環境等に係わる情報・概念、原理等に関する知見を取り扱う知的ツールとしては、各種のハンドブック、便覧、白書、学術誌、情報誌、報告、統計、データベース、シミュレーションシステム等並びにインターネットやイントラネットを用いた検索システム等が知られている。
【特許文献１】特開平４−３０２０２８号公報
【特許文献２】特開２００３−１４１２６９号公報
【特許文献３】特開平４−９８４７２号公報
【特許文献４】特許第３２７５３１１号公報
【発明の開示】
【発明が解決しようとする課題】
【０００３】
しかしながら、上記のごとき知的ツールは特定の分野・領域・課題等に関する知見のみを、ある特定の時限で集約したコンテンツを利用者が誰でもいつでも最大公約数的な一定の知見や解答を得るために作られており、最近の科学技術や社会の進歩や変化の激しい時代には、それら知的ツールの完成と同時に陳腐化し、殆ど実用に供されることなく死蔵されているケースが多く、コンテンツの更新が行われるデータベースや検索システムにおいても管理者が限られた資源によって対応している不十分な実態であり、必ずしも時代の要求に応え得る形態をなしていない。
【０００４】
しかも多大の労力を掛けて構築されたデータベースやシミュレーションシステムは必ずししも利用が簡便に行えず、一部の専門家にしか利用されない状況にある。
【０００５】
かかる問題を解決する手段として、一部報告書等はインターネットを通じて関連の学術誌等のホームページへのリンクが可能とされ、また学術誌を広くインターネットでリンクしようとする試みもあるが、その機能や応用範囲は限定されており、またインターネットを通じて広く各種の情報源にアクセスできるシステムはキーワードを通しての単純検索に過ぎない。
【０００６】
以上の全ての既存の知的ツールは単なる知的整理・データ参照・知見検索等の最大公約数的な解や知見を求める単純系に過ぎず、複雑かつ創造的な知的機能を有する進化性を有する自己組織的な知的ツールとなり得ていない。
【０００７】
本発明は上記のような従来技術の限界性、陳腐化性、非創造性や非利便性を軽減もしくは解決し、進化・発展性があり、創造的な利用も可能で、利便性に優れる新しい知的ツールを提供しようとするものである。
【課題を解決するための手段】
【０００８】
内部コンテンツが固定した閉鎖的なものにならないようにするために、研究機関・研究室・研究者・企業・省庁等のホームページに代表される外部情報源へのリンクを可能とすることは基本的な手段である。
【０００９】
また、単に上記のごときホームページにリンクするだけではなく、必要とする関連情報に直接アクセスを可能とする、外部情報源の内部へ直接乗り入れることを可能とするプラグインシステムを手段として付与することが重要である。
【００１０】
また、利用者、知見・情報の提供者、その他の関心者或いは関係者等並びに当該知的ツールの管理・推進者の四者が連携していわゆるオープンソースシステムによって適宜コンテンツ、論理回路及び操作・管理システム等を最新・最適なものにすることも重要な手段である。
【００１１】
また、利用頻度の高い情報分野・事項へのアクセスをより利用しやすくするシステムとともに逆に利用頻度の少ない分野・事項は記録の底部もしくはアーカイブに収納する等の仕組みにより、適宜システムの有用性や活力を維持できるようにすることも重要な手段である。
【００１２】
そして重要な手段として、利用者がある課題について解答や知見等を欲する場合に、最大公約数的な一定の収斂する解答や知見に至る単純システム（自己集合システム）並びにカオス理論、ゲーム理論や連想等の仕組みを等を組み込んだ発散する解答や知見に至る複雑システム（散逸システム）を組み込み、利用者の選択的意思により一定の秩序ある解答や知見に至る総合システム（自己組織システム）を形成せしめることが肝要である。
【００１３】
また、解答や知見へのアプローチも物質・材料・技術等の特性を示すデータや知見に留まらず、概念、原理、応用及び影響・効果等の各種次元の切り口によることができる手段を含むことも重要である。
【００１４】
より具体的な解決の手段としては、例えば物質、材料、工業製品、科学、技術、並びにこれらを取り扱う組織体の活動とその経済・社会・環境的効果等に係わる特定の事象もしくは原理を表示する言語、記号および式等を基にして、それらが含まれる物質群、材料群、反応群、操作群、状態群、構造群および原理群等のいずれか特定の群の中で発散的に知見を集積し、然る後にそれらの発散した知見を、特定の特性、可能性、リスク・安全性およびコスト等の評価指標のいずれかひとつ以上の篩にかけて収斂させ、次いでまた上記の別の群の中で発散的に知見を集積し、然る後にそれらの発散した知見を上記の評価指標のいずれかひとつ以上の篩にかけて収斂させ、順次同様の発散と収斂とを繰り返すことにより、最終的に求める知見に到達する方法が有用である。
【００１５】
また、物質、材料、工業製品、科学、技術、並びにこれらを取り扱う組織体の活動とその経済・社会・環境的効果等に係わる特定の事象、特性及び原理等を表示する言語、記号および式等を基にして、それらが含まれる物質群、材料群、反応群、操作群、状態群、構造群、原理群、特性、可能性、リスク・安全性およびコスト等のいずれか特定の群の中で発散的に知見を集積し、それらの知見をそれぞれ二次元に分布・展開せしめた複数の知見平面を形成せしめ、然る後にそれらの知見平面を一定の条件下に交差せしめ、交線、交点あるいは交差領域として求める知見に到達する方法も有用である。
【００１６】
また、物質、材料、工業製品、科学、技術、並びにこれらを取り扱う組織体の活動とその経済・社会・環境的効果等に係わる特定の事象、特性及び原理等を表示する言語、記号および式等を基にして、それらが含まれる物質群、材料群、反応群、操作群、状態群、構造群、原理群、特性、可能性、リスク・安全性およびコスト等のいずれか特定の群の中で発散的に知見を集積し、その中の特定の知見もしくは知見の領域から別の群に一定の概念にしたがって投影、転写および反転等を行い特定の知見もしくは知見の領域に移動し、これを繰り返し行うことによって求める知見に到達することも有用な方法である。
【００１７】
さらに物質、材料、工業製品、科学、技術、並びにこれらを取り扱う組織体の活動とその経済・社会・環境的効果等に係わる特定の事象もしくは原理を表示する言語、記号および式等を基にして、それらが含まれる物質群、材料群、反応群、操作群、状態群、構造群および原理群等のいずれか特定の群の中に当該事象もしくは原理を位置づけた後、その事象もしくは原理を成立せしめている前提、条件もしくは制約を解除せしめて、当該事象もしくは原理を拡張し、然る後に得られる事象もしくは原理を特性、可能性、リスク・安全性およびコスト等の評価指標の篩にかけ、ついで篩にかけられた事象もしくは原理についで同様の操作を繰り返し、求める知見に到達することも有用な方法である。
【００１８】
上記を扱う電子媒体としては、携帯端末等から簡便にアクセス可能なことも重要である。
【００１９】
さらに、出来るだけ広範な利用者、利用場所および利用形態に応ずることを可能とする電子媒体や情報媒体を端末として利用できるシステムも重要な手段である。
【００２０】
また、上記の利用端末から閲覧容易な印刷・映写等の形式への出力変換機能を持たせることも望ましい手段である。
【００２１】
また、本発明をより効果的かつ広範な応用に供するために、他の電子・情報媒体等との連携も有用な手段である。
【００２２】
一方、オープンソースシステムの悪用によるコンテンツ、論理回路、システム及びサービス等の破壊や妨害を防ぐシステムを手段として含むことも重要であり、また、上記破壊や妨害だけでなく、無制限なオープンソースシステムはコンテンツ、論理回路、システム及びサービス等を混乱させる恐れがあるので、これらを防ぎ有用かつ効果的なオープンソースシステムとして機能させる管理・推進機構も必要である。
【発明の効果】
【００２３】
本発明により、従来の情報ツール・知的ツールとは一線を画する、陳腐化せず発展性と進化性を具備し、より高度な利用の可能な情報ツール・知的ツールが実現し、いわゆる専門的な科学技術者や研究者のもならず、広く科学技術や産業に関心を寄せる経営者、投資家、コンサルタント、学生、システムエンジニア、さらにはより広く一般市民にまでそれぞれの観点から、時代に即した必要な知見を得ることができ、また単に最大公約数的な必要最小限の知見を得ることができるだけではなく、より創造的な知的活動を可能とし、科学技術や産業・経済の発展に資することが期待される。
【発明を実施するための最良の形態】
【００２４】
以上の手段を備えた知的ツールの実施の形態を幾つか以下に記すが、本発明はこの実施形態に限定されるものではなく、各種の変形・発展した形態も包含される。
【００２５】
高分子科学に関する科学技術や知見を高分子ナノテクノロジーという一定の範囲・分野で枠組みを構成し、関連する科学技術や知見を重合、一次構造、三次元構造、表面・界面構造、成形加工、解析等の一定の概念的整理に従って目次立てを行い、関連情報をコンテンツとして収録する。
【００２６】
上記のキーワードタグから関連の外部情報源のホームページへのリンクを可能とする。
【００２７】
その際、収録した情報を物質・材料・構造・技術等に係る事象的キーワードとそれらの原理・理論等に係る抽象的キーワードとさらに関連する用途・応用・影響・効果等に係る実用的キーワードに分類したキーワードタグを付する。
【００２８】
また、上記キーワードタグから関連の特許・データベース・シミュレーション・学術文献・市場等を取り扱う外部情報システムの関連情報・データ・プログラムもしくはそのシステムの操作に必要・好適な担当者にプラグインするシステムを組み込む。
【００２９】
上記キーワードタグに利用者が最も知りたい情報に関するキーワードを掛け合わせることにより、それらに関する知見が一定の論理回路により自己集合的に収斂し、最大公約数的な知見や解の得られる単純システムを付する。
【００３０】
一方、上記キーワードタグからカオス理論・ゲーム理論・神経回路やその他の関連のアルゴリズムを直接もしくはそれらに基づき構築された新たなアルゴリズムを適用することにより、散逸的に発散的な知見や解の得られるシステムを付する。
【００３１】
さらに、上記発散的なシステムに利用者の知りたい情報に関するキーワードもしくはその拡張キーワードを掛け合わせ、一定の論理回路により、利用者の想定する知見や解の範囲を超える知見や解も得られるような高次複雑系システムを付した自己組織的なシステムを付与する。
【００３２】
図１は、発散と収斂の繰り返しによる自己組織的知見の形成方法を説明する図であり、図２は、知見を成立せしめている前提、条件、要件、原理等の制約を解除・排除することによる新たな知見の自己組織的な創出を説明する図である。例えば、図１に示すように特定の知見Ｓ０に含まれる特定の概念や要素ｆを共通的に包含する一定の分野F内の複数の知見Ｆ１からＦｎを発散的に集積し、然る後に一定の評価指標E1の篩にかけ、Ｆｘ（複数でも可）を選定し、次にＦｘに含まれる特定の概念や要素ｇを共通的に包含する一定の枠内の分野Ｇ内の複数の知見Ｇ１からＧｍを発散的に集積し、然る後に一定の評価指標Ｅ２の篩にかけ、Ｇｙ（複数でも可）を選定し、以下同様の論理操作を適宜繰り返すことによって、最終的に求める知見＜Ｉ＞を得る。
【００３３】
或いは、図２に示されるように、公知の知見Ｋ／Ｐに付与されている実現の原理、条件、前提、制約等Ｐの全体或いは一部を排除することによって得られる仮想の拡張された知見Ｋ’及び排除した原理、条件、前提、制約等ΔＰについてそれぞれ意味・価値の評価指標Ｍと可能性等の評価指標Ｃを上述のごとく対応分野で発散させた後収斂させたりしてＫ’、ＭおよびＣの最適適合性を見出し、最終的に求める知見＜Ｋ＞を得る。
【００３４】
利用者、データ・情報等の提供者（以下情報提供者と略す）ならびに関心を持つシステムエンジニア等、多方面の関係者（以下関心者と略す）がデータ・情報・論理回路・プログラム・システム等の改善・拡張に向けて提案できる仕組みも組み込む。
【００３５】
上記、改善提案等を一定の整合性・発展性・有用性の価値判断の下に管理・推進する仕組みを付加し、コンテンツとシステムが混乱を来たすことなく有意に進化するような統合機構を設置する。
【００３６】
以上のコンテンツと仕組みを利用方法とともにインターネットやイントラネット等を通して利用者、情報提供者、関心者に供給する。
【００３７】
利用者、情報提供者、関心者は携帯端末等を通じて簡便にまたどこでもアクセスできるようにすることが望ましい。
【００３８】
上記の利便性を促進するために、場合により必要に応じて種々の既存のネット情報供給システムと連結することも有用かつ好適である。
【００３９】
また、利用者等の本ツールの利用に際して、会員登録を通してサービスの供給を開始するなど、種々のサービス供給形態が考えられる。
【図面の簡単な説明】
【００４０】
【図１】発散と収斂の繰り返しによる自己組織的知見の形成方法を説明する図である。
【図２】知見を成立せしめている前提、条件、要件、原理等の制約を解除・排除することによる新たな知見の自己組織的な創出を説明する図である。
【符号の説明】
【００４１】
Ｓ０：取り扱う特定の知見
ｆ：Ｓ０に含まれる特定の概念もしくは要素
Ｆ：ｆを含む知見の分野
Ｆ１、Ｆ２、Ｆ３、・・・、Ｆｎ：Ｆの中に包含されるＳ０に対応する知見
Ｅ１：Ｆ１〜Ｆｎの中から知見を振るいにかける評価指標
Ｆｘ：Ｅ１によって絞り込まれたFの中に包含されるＳ０に対応する知見
ｇ：Ｆｘに含まれる特定の概念もしくは要素
Ｇ：ｇを含む知見の分野
Ｇ１、Ｇ２、Ｇ３、・・・、Ｇｎ：Ｇの中に包含されるＦｘに対応する知見
Ｅ２：Ｇ１〜Ｇ２の中から知見を振るいにかける評価指標
Ｇｙ：Ｅ１によって絞り込まれたＧの中に包含されるＦｘに対応する知見
Ｋ：特定の知見
Ｐ：Ｋを成立せしめている前提、条件、要件、原理等
Ｋ／Ｐ：前提、条件、要件、原理等Ｐの存在下に成立している知見Ｋ
ΔＰ：排除・解除した前提、条件、要件、原理等
Ｋ’：ΔＰを排除・解除した時に得られる知見Kの拡張・発散系
＜Ｋ＞：求める知見
【図１】
2005165876.tif 000002
【図２】
2005165876.tif 000003